(57)【要約】      （修正有）【課題】口腔前庭部からほうれい線周りの筋肉をマッサージするにあたり、使い勝手に優れたほうれい線マッサージ具を提供する。【解決手段】ほうれい線マッサージ具１は、口腔前庭部Ａに挿入されほうれい線が表れている箇所に相当する上唇Ｂの上方の口内粘膜Ｃに押し当てられるマッサージ部２と、棒状の把持部３と、を備え、把持部３は、掌で握るグリップ部５と、マッサージ部２とグリップ部５との間に形成され人差し指Ｄ１と親指Ｄ２とで摘む指係止部としての貫通孔１０と、から構成されている。【選択図】図２
0003186437.tif 000002
【実用新案登録請求の範囲】
【請求項１】
口腔前庭部に挿入されほうれい線の発生箇所に相当する上唇上方の口内粘膜に押し当てられるマッサージ部と、棒状の把持部と、を備え、
前記把持部は、
掌で握るグリップ部と、
前記マッサージ部と前記グリップ部との間に形成され２本の指で摘む指係止部と、
からなることを特徴とするほうれい線マッサージ具。
【請求項２】
前記指係止部が、前記把持部の表裏に形成された孔であることを特徴とする請求項１に記載のほうれい線マッサージ具。
【請求項３】
前記マッサージ部のつけ根部が前記把持部から上唇に対して傾斜するように湾曲形成されていることを特徴とする請求項１または請求項２に記載のほうれい線マッサージ具。
【考案の詳細な説明】
【技術分野】
【０００１】
本考案は、顔面に生じるほうれい線のマッサージ具に関する。
【背景技術】
【０００２】
鼻の脇から口元にかけて表れるほうれい線は、主に加齢や乾燥を原因としてほほの筋肉がたるんだり硬直することでしわの溝化が進んで生じるものといわれている。ほうれい線を解消する方法としてはクリーム等の化粧品を塗る方法、ヒアルロン酸やコラーゲン等を皮下注射する方法が挙げられるが、これらの方法はいずれもほうれい線発生の主原因であるほほの筋肉の硬直自体を解消するものではないため、それらの効果は一時的であって、持続しない。
【０００３】
これに対してマッサージによる方法は、ほほの筋肉をほぐすことによって筋肉の硬直を防ぎ、ほうれい線周りの皮膚に刺激を与えてしわの溝化促進を持続的に低減できる。ほうれい線周りの筋肉をマッサージする場合、顔面の皮膚表面をマッサージする一般的な方法に加えて、口腔側から、具体的には上側歯茎と上唇上方の口内粘膜との間に形成される口腔前庭部からマッサージする方法が試みられている。筋肉の構造は複数の層から構成されており、普段刺激を与えられることの少ない口内粘膜寄りの筋肉層への口腔側からのマッサージの方が効果がより高いとされている。
【０００４】
エステティックサロン等の美顔マッサージ店でのマッサージの場合、施術師が指先を口腔前庭部に入れて上唇上方の口内粘膜に指腹を押しあててマッサージする。これを自宅等で自分で行うためには指先の位置や動かし方に熟練が必要である。また、マッサージを始めるごとに指を洗う手間が必要であり爪が伸びていたりネールケアが施されている場合には口腔内を傷つけやすいという問題がある。
【０００５】
この問題に対し、マッサージ具を用いて口腔内側からほうれい線を解消する技術がたとえば特許文献１，２に記載されている。特許文献１には、ほうれい線に相当する部位が厚く形成されたマッサージ具を口腔前庭部に装着することにより、ほうれい線周りの皮膚を盛り上がらせてほうれい線を消す技術について記載されている。しかしこの技術はほうれい線下の筋肉をマッサージする技術ではなく、マッサージ具を外せばほうれい線が再び表れてしまう。
【０００６】
一方、特許文献２には、歯ブラシの背部に丸い突起を設けたほうれい線解消歯ブラシが記載されており、前記突起により口腔内のほうれい線周辺部をマッサージすることによりほうれい線を解消することが記載されている。
【０００７】
しかし、特許文献２の技術では、マッサージ用の突起が歯ブラシの背部に形成されているので、狭い口腔前庭部に突起と歯ブラシの両方を入れることは困難であり、無理に入れて突起でマッサージするとブラシが上歯茎に強くこすれるという不具合が生じる。
【先行技術文献】
【特許文献】
【０００８】
【特許文献１】実開平５−５１２１０号公報
【特許文献２】実用新案登録第３１７１３１１号公報
【考案の概要】
【考案が解決しようとする課題】
【０００９】
一般に施術師による口腔前庭部内のマッサージ方法は、ほうれい線の全体にわたる大きなストロークでほうれい線に沿って筋肉をほぐす動きと、特定の部位について小さなストロークで筋肉をほぐす動きとが併用して行われている。この２通りの動きを前記歯ブラシで行なう場合、前者のマッサージの動きについては歯ブラシの柄の部分を掌で握って歯ブラシを上下に大きく動かせばよい。一方、後者の動きではたとえば親指と人差し指の２本の指で柄をつまむように挟持しつつ細かく動かすことになるが、指が滑って柄を挟持しづらいという問題がある。
【００１０】
本考案は以上のような課題を解決するために創作されたものであり、口腔前庭部からほうれい線周りの筋肉をマッサージするにあたり、使い勝手に優れたほうれい線マッサージ具を提供することを目的としている。
【課題を解決するための手段】
【００１１】
前記課題を解決するため、本考案のほうれい線マッサージ具は、口腔前庭部に挿入されほうれい線の発生箇所に相当する上唇上方の口内粘膜に押し当てられるマッサージ部と、棒状の把持部と、を備え、前記把持部は、掌で握るグリップ部と、前記マッサージ部と前記グリップ部との間に形成され２本の指で摘む指係止部と、からなることを特徴とする。
【００１２】
また、本考案のほうれい線マッサージ具は、前記指係止部が、前記把持部の表裏に形成された孔であることを特徴とする。
【００１３】
また、本考案のほうれい線マッサージ具は、前記マッサージ部のつけ根部が上唇に対して傾斜するように湾曲形成されていることを特徴とする。
【考案の効果】
【００１４】
本考案によれば、ほうれい線の全体にわたって大きな動きでマッサージ具を動かす際には掌でグリップ部を握ってマッサージを行う。そして、細かい動きで軽くマッサージ具を動かしてマッサージを行う際には、柄を人差し指と親指の２本の指で挟むように摘んで行う。その際、人差し指と親指を指係止部に係止させることで指を滑らせることなく指の力を柄に伝えることができ、安定した状態でマッサージ具を動かすことができる。
【００１５】
また、前記指係止部を、前記把持部の表裏に形成された孔とすれば、親指と人差し指の指腹の一部が当該孔に若干入り込むように係止され、より安定した状態でマッサージ具を動かすことができる。
【００１６】
また、前記マッサージ部のつけ根部が上唇に対して傾斜するように湾曲形成されている構成とすれば、マッサージ部を口腔前庭部に挿入した際、上唇内側に対してマッサージ部のつけ根部をより平行に近い状態で動かすことができる。また、上唇周りがマッサージ具から強い圧迫を受けることがない。
【図面の簡単な説明】
【００１７】
【図１】本考案に係るほうれい線マッサージ具の外観図であり、（ａ），（ｂ）はそれぞれ正面図、側面図である。
【図２】本考案に係るほうれい線マッサージ具の使用例を示す説明図である。
【考案を実施するための形態】
【００１８】
図１および図２において、本考案のほうれい線マッサージ具１は、口腔前庭部Ａに挿入されほうれい線の発生箇所に相当する上唇Ｂの上方の口内粘膜Ｃに押し当てられるマッサージ部２と、棒状の把持部３とを備える。把持部３は、断面略矩形状を呈する柄の一部として形成されている。マッサージ部２と把持部３とは一体に成形されている。材質は柔軟性と口腔内での使用に際しての人体への安全性を考慮して弾性がありかつ化学的に不活性なシリコン樹脂たとえばシリコーンが用いられる。
【００１９】
マッサージ部２は、柄の先端に形成された突起体からなり、図１（ａ）に示すように正面視して略楕円形状に形成され、図１（ｂ）に示すように側面視して上端が半球面状に形成され正面および背面が平面状に形成されている。マッサージ部２のつけ根部４は上唇Ｂに対して傾斜するように湾曲形成されている。
【００２０】
把持部３は、掌で握るグリップ部５と、マッサージ部２とグリップ部５との間に形成され２本の指、通常人差し指Ｄ１と親指Ｄ２とで摘む指係止部６とからなる。グリップ部５の側面部には握りやすくするための波形状部７が形成されている。また、グリップ部５の正面部には滑り止めとして複数の凹凸形状からなる滑り止め部８が形成されている。なお、把持部３の基端には、ほうれい線マッサージ具１を図示しない掛け釘等に掛けておくための掛け孔９が形成されている。
【００２１】
指係止部６は、たとえば把持部３の表裏に形成された孔から構成され、本実施形態では、把持部３の表面（正面）から裏面（背面）にかけて貫通する貫通孔１０から構成されている。場合により、貫通孔１０ではなく、把持部３の表面と裏面にそれぞれ個別に形成される有底孔にしてもよい。図１（ａ）に示すように、ほうれい線マッサージ具１の幅寸法Ｗは概ね２０〜４０ｍｍ程度であり、全長寸法Ｌは概ね１５０〜１８０ｍｍ程度である。マッサージ部２のつけ根部４の幅寸法は弾性変形しやすいように幅狭に形成されている。また、マッサージ部２の上端から指係止部６周りまでの長さ寸法Ｌ１は概ね４０〜６０ｍｍ程度である。
【００２２】
マッサージ部２の寸法については、概ね人差し指の指先になぞらえた大きさ、具体的には幅寸法Ｗ１を１２〜１４ｍｍ程度、長さ寸法Ｌ２を１３〜２０ｍｍ程度、厚み寸法Ｔを８〜１０ｍｍ程度に形成すれば、指による施術と同様の良好なマッサージ効果が得られることが判明した。
【００２３】
「作用」
使用者は、ほうれい線に沿って比較的大きな動きでほうれい線マッサージ具１を動かす際には掌でグリップ部５を握ってマッサージ部２を口内粘膜Ｃに押し当てる。そして、細かい動きでほうれい線マッサージ具１を動かしてマッサージを行う際には、図２に示すように、人差し指Ｄ１と親指Ｄ２とを貫通孔１０に係止させることで指腹の一部が孔に引っかかる。これにより、２本の指でも力を入れつつ安定して支えることができ、指を滑らせることなく指の力を柄に伝えることができるため、安定した状態でほうれい線マッサージ具１を動かすことができる。
【００２４】
また、マッサージ部２のつけ根部４が上唇Ｂに対して傾斜するように湾曲形成されているため、マッサージ部２を口腔前庭部Ａに挿入した際、上唇Ｂの内側に対してマッサージ部２のつけ根部４をより平行に近い状態で動かすことができる。また、上唇Ｂ周りがほうれい線マッサージ具１から強い圧迫を受けることがない。
【００２５】
以上、本考案の好適な実施形態を説明した。指係止部６を構成する孔は、本実施形態のように真円形の孔とした場合、指腹の一部が確実に引っかかるように少なくとも５ｍｍ以上の大きさとすることが好ましい。また、孔の形状は真円形に限られず、指を係止できさえすれば、楕円形状としたり、溝形状の孔にしてもよい。
【符号の説明】
【００２６】
１      ほうれい線マッサージ具
２      マッサージ部
３      把持部
４      つけ根部
５      グリップ部
６      指係止部
１０      貫通孔
Ａ      口腔前庭部
Ｂ      上唇
Ｃ      口内粘膜
【図１】
0003186437.tif 000003
【図２】
0003186437.tif 000004